【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
保護眼鏡結露予防システムであって、
ユーザーの眼を保護する保護眼鏡であって、当該ユーザーの眼と当該保護眼鏡との間に少なくとも部分的に包囲される空間を画定するように構成されている、前記保護眼鏡と、
電源と、
パルス幅変調器と、
前記パルス幅変調器に応答する金属酸化物半導体電界効果トランジスタ切り換え手段と、
前記保護眼鏡上の加熱素子と、
前記電源、前記パルス幅変調器、前記切り換え手段、および前記加熱素子を相互接続して前記保護眼鏡の加熱を制御する回路と、
前記パルス幅変調器に動作可能に接続される電流調節手段であって、前記パルス幅変調器を介して前記電源のデューティサイクルを変化させ、それにより前記加熱素子に供給される電流を変化させるものである、前記電流調節手段と
を有する保護眼鏡結露予防システム。
【請求項２】
請求項１記載の保護眼鏡結露予防システムにおいて、さらに、
周囲温度および相対湿度を測定するための手段と、露点を計算する手段とを有し、
前記露点を計算するための手段は前記電流調節手段に動作可能に接続されており、これにより、前記電流調節手段は、前記保護眼鏡によって画定される前記空間内の温度が前記露点温度閾値より低下したとき前記電気的回路に対する電力を増加させ、前記保護眼鏡によって画定される前記空間内の温度が前記露点温度閾値より上昇したとき前記電気的回路に対する電力を減少させるものである保護眼鏡結露予防システム。
【請求項３】
請求項１記載の保護眼鏡結露予防システムにおいて、当該システムは、スポーツゴーグルに使用されるように構成されているものである保護眼鏡結露予防システム。
【請求項４】
請求項１記載のシールド結露予防システムにおいて、当該システムは、ダイビングマスクに使用されるように構成されているものであるシールド結露予防システム。
【請求項５】
請求項１記載のシールド結露予防システムにおいて、当該システムは、保護眼鏡に使用されるように構成されているものであるシールド結露予防システム。
【請求項６】
保護眼鏡結露予防システムであって、
１若しくはそれ以上のサイズの複数の領域に分割可能な表面積を有する不規則な形状の保護眼鏡であって、前記分割可能な表面積により当該保護眼鏡を領域ごとに加熱することが容易になるものであり、ユーザーの眼を保護し、当該ユーザーの眼と当該保護眼鏡との間に少なくとも部分的に包囲される空間を画定するように構成されているものである、前記保護眼鏡と、
電源と、
複数のパルス幅変調器であって、各前記パルス幅変調器は前記電源に動作可能に接続されるものである、前記パルス幅変調器と、
複数の切り換え手段であって、各前記切り換え手段は対応するパルス幅変調器に応答するものである、前記切り換え手段と、
前記保護眼鏡上の複数の加熱素子であって、各前記加熱素子は前記保護眼鏡の対応するサイズ設定された領域に延長するものである、前記加熱素子と、
複数の回路であって、各前記回路は、前記パルス幅変調器のうちの１つを対応する前記切り換え手段のうちの１つ、および前記対応する加熱素子のうちの１つと相互接続し、各前記パルス幅変調器は対応する加熱素子に所定量の電流を提供するためのデューティサイクルを生成するものであり、これにより、前記保護眼鏡の各領域の電力出力が前記保護眼鏡の前記領域に対する所望の出力に対応するようになるものである、前記回路と、
を有する、保護眼鏡結露予防システム。
【請求項７】
請求項６記載の保護眼鏡結露予防システムにおいて、前記保護眼鏡の各領域の前記電力出力は、それぞれの領域のサイズにかかわらず、前記領域にわたって実質的に等しく、かつ均等に配分されるものである保護眼鏡結露予防システム。
【請求項８】
請求項６記載の保護眼鏡結露予防システムにおいて、前記複数のパルス幅変調器は、前記複数のパルス幅変調器に対応する複数の様々な内部パルス幅変調器機能を同時に実行する能力を有するマイクロコンピューターを備え、前記マイクロコンピューターは前記内部パルス幅変調器機能を前記複数の回路と相互接続するための複数のＩ／Ｏポートを有するものである保護眼鏡結露予防システム。
【請求項９】
請求項８記載の保護眼鏡結露予防システムにおいて、各前記切り換え手段は、金属酸化物半導体電界効果トランジスタを有するものである保護眼鏡結露予防システム。
【請求項１０】
請求項６記載の保護眼鏡結露予防システムにおいて、さらに、
前記複数のパルス幅変調器に動作可能に接続される少なくとも１つの電流調節手段を有し、当該電流調節手段は、前記複数のパルス幅変調器を介して前記電源のデューティサイクルを変化させ、それにより各前記対応する加熱素子に供給される前記電流の量を変化させものである保護眼鏡結露予防システム。
【請求項１１】
請求項１０記載の保護眼鏡結露予防システムにおいて、さらに、
可変電流調節機構の単独の調整を可能にする領域プロファイルロジックを有し、当該ロジックにより、各領域の他の領域に対する比例調節が行われるものである保護眼鏡結露予防システム。
【請求項１２】
請求項１０記載の保護眼鏡結露予防システムにおいて、さらに、
周囲温度および相対湿度を測定するための手段と、露点を計算する手段とを有し、前記露点を計算するための手段は前記電流調節手段と動作可能に接続されており、これにより、前記電流調節手段は、前記保護眼鏡によって画定される前記空間内の温度が前記露点温度閾値より低下したとき前記複数の電気的回路に対する電力を増加させ、前記保護眼鏡によって画定される前記空間内の温度が前記露点温度閾値より上昇したとき前記複数の電気的回路に対する電力を減少させるものである保護眼鏡結露予防システム。
【請求項１３】
請求項６記載の保護眼鏡結露予防システムにおいて、当該システムは、スポーツゴーグルに使用されるように構成されているものである保護眼鏡結露予防システム。
【請求項１４】
請求項６記載の保護眼鏡結露予防システムにおいて、当該システムは、ダイビングマスクに使用されるように構成されているものである保護眼鏡結露予防システム。
【請求項１５】
請求項６記載の保護眼鏡結露予防システムにおいて、当該システムは、保護眼鏡に使用されるように構成されているものである保護眼鏡結露予防システム。
【請求項１６】
保護眼鏡結露予防システムであって、
ユーザーの眼を保護する保護眼鏡であって、当該ユーザーの眼と当該保護眼鏡との間に少なくとも部分的に包囲される空間を画定するように構成され、少なくとも１つの領域に分割可能な表面積を有し、これにより、前記保護眼鏡を領域ごとに所望の温度に加熱することが容易になるものである、前記保護眼鏡と、
電源と、
少なくとも１つのパルス幅変調器と、
前記保護眼鏡の領域ごとの加熱を容易にする少なくとも１つの加熱素子であって、当該加熱素子は、前記少なくとも１つの領域に対応するように当該領域上に配置され、かつ前記少なくとも１つのパルス幅変調器に対応するものである、前記加熱素子と、
前記保護眼鏡を加熱するために、前記電源、前記少なくとも１つのパルス幅変調器、および前記少なくとも１つの対応する加熱素子を相互接続する少なくとも１つの回路であって、前記少なくとも１つのパルス幅変調器は、電流を制御して前記少なくとも１つの加熱素子の領域の温度を動作環境において予測される露点より高い温度を維持するものである、前記少なくとも１つの回路と、
相対湿度センサーおよび温度センサーであって、各センサーは前記保護眼鏡によって画定された前記空間内に配置されるものである、前記センサーと、
前記相対湿度センサーおよび前記温度センサーに動作可能に接続され、露点温度を定期的に計算する手段と
を有し、
前記少なくとも１つのパルス幅変調器は、前記定期的に露点温度を計算する手段に応答して前記少なくとも１つの加熱素子を制御するものであり、それにより、前記少なくとも１つの加熱素子は露点より上の温度に維持され、経時的に生じる曇りが確実に予防されるものである
保護眼鏡結露予防システム。
【請求項１７】
請求項１６記載の保護眼鏡結露予防システムにおいて、さらに、
複数の所定のデータプロファイルと、対応する選択手段とを有し、これにより、ユーザーにより選択された前記データプロファイルのうちの１つに従って、前記保護眼鏡の各領域の制御を可能にするものである保護眼鏡結露予防システム。
【手続補正２】
【補正対象書類名】明細書
【補正対象項目名】００１１
【補正方法】変更
【補正の内容】
【００１１】
曇り状態を経験したときにゴーグルへの電力をオンへ切り換え、次いでユーザーがもう必要ないと感じたときにオフへ切り換えるのは、ゴーグルまたは他の視覚シールドの曇りを克服するためには効率的なやり方ではない。これは、オンの間フル電力を使用し、これはバッテリー電源の効率の悪い使用だからである。また、ユーザーは、実際のところ、いつオフにするべきかを正確には知らないので、最良でもユーザーは、いつがオフにする最良の時かを推測する。さらに、ユーザーが手元の活動に取り組んでいて、かつ集中しているとき、しばしば、保護眼鏡への電力をオンまたはオフにしなければならないのは不便である。保護眼鏡への電力の手動切り換えでは、曇りを削減するのに十分であるが、これはまたバッテリー寿命の節約もする、中間の加熱値をユーザーに設定させることはできない
。さらに、保護眼鏡上の加熱素子の可変制御も提供する、ゴーグル、眼鏡、またはサングラスなどの保護眼鏡上の膜または他の抵抗素子のバランスのとれた加熱に対する先行技術に開示された既知のシステムはない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，５８４，７２１号明細書
（特許文献２）  米国特許第５，７７８，６８９号明細書
（特許文献３）  米国特許第５，１０５，０６７号明細書
（特許文献４）  米国特許第６，８９６，３６６号明細書
（特許文献５）  米国特許第４，５８４，７２１号明細書
（特許文献６）  米国特許第６，４７０，６９６号明細書
（特許文献７）  米国特許出願公開第２００４／００５００７２号明細書
（特許文献８）  米国特許出願公開第２００３／００９１０８９号明細書
（特許文献９）  米国特許出願公開第２００６／０２８９４５８号明細書
（特許文献１０）  米国特許出願公開第２００４／００５００７６号明細書
（特許文献１１）  米国特許第４，８６８，９２９号明細書
（特許文献１２）  米国特許第４，９４２，６２９号明細書
（特許文献１３）  米国特許第６，７０４，９４４号明細書
（特許文献１４）  米国特許第７，６４８，２３４号明細書
（特許文献１５）  米国特許第６，９２７，３６８号明細書
（特許文献１６）  米国特許第７，３８７，０２２号明細書
（特許文献１７）  米国特許出願公開第２００８／０２９００８１号明細書
（特許文献１８）  米国特許出願公開第２０１３／００４３２３３号明細書
（特許文献１９）  中国実用新案第２３９７６３１号明細書